(57)【要約】  可動的な乾式壁を提供する。可動的な乾式壁が、支持部材、及び支持部材に動作可能なようにカップリングされている一対のウィング部を有している。一対のウィング部が、支持部材に対して動くように、構成されている。【選択図】図３
2019520497.tif 000002
【特許請求の範囲】
【請求項１】
複数の側壁を有している部屋のための、下記を有しているモジュール壁：
支持部材；及び
前記支持部材に動作可能なようにカップリングされている一対のウィング部、
ここで、それぞれの前記ウィング部が、開位置及び閉位置へと動くように構成されており、前記一対のウィング部が、前記開位置において、前記複数の側壁のうち対応する側壁に向かって移動するように、構成されている。
【請求項２】
前記ウィング部それぞれが、前記支持部材の平面に沿って摺動するように構成されている、請求項１に記載のモジュール壁。
【請求項３】
前記ウィング部それぞれが、ヒンジによって、前記支持部材に対して回転可能にカップリングされている、請求項１に記載のモジュール壁。
【請求項４】
前記ウィング部それぞれが、折り畳み式の配置を有している、請求項１に記載のモジュール壁。
【請求項５】
前記ウィング部それぞれが、可動的にそれに付着されている二次的なウィング部をさらに有している、請求項１に記載のモジュール壁。
【請求項６】
前記支持部材が、複数の棚を有している、請求項１に記載のモジュール壁。
【請求項７】
前記支持部材及び前記一対のウィング部それぞれが、下記を有している、請求項１に記載のモジュール壁：
枠、及び
前記枠に付着している、１又は複数の石こうパネル。
【請求項８】
前記支持部材及び前記一対のウィング部のそれぞれが、前記枠と１又は複数の前記石こうパネルとの間に配置されている絶縁性要素を含んでいる、請求項７に記載のモジュール壁。
【請求項９】
前記枠が、金属、木、及びプラスチックのうちの少なくとも１つからできている、請求項７に記載のモジュール壁。
【請求項１０】
前記支持部材及び前記一対のウィング部が、補強されている、請求項７に記載のモジュール壁。
【請求項１１】
前記石こうパネルが、ポリマーバインダ及び複数の繊維を有している、請求項７に記載のモジュール壁。
【請求項１２】
前記ポリマーバインダが、スターチ及び合成材料のうちの１つを含んでいる、請求項１１に記載のモジュール壁。
【請求項１３】
前記ポリマーバインダ及び前記複数の繊維が、合計で、可動的な乾式壁の１重量％超である、請求項１１に記載のモジュール壁。
【請求項１４】
前記複数の繊維及び前記ポリマーバインダのうちの１つが、可動的な乾式壁の１重量％超である、請求項１１に記載のモジュール壁。
【請求項１５】
ＭＤＦ，ベニヤ板、ガラス、金属、セメント、繊維セメント、及びプラスチックシートのうちの少なくとも１つを含んでいる、請求項１に記載のモジュール壁。
【請求項１６】
前記複数の側壁及び天井を有している部屋のための、下記を有しているモジュール壁システム：
前記部屋の前記天井にカップリングされるように構成されている、支持構造、及び
前記支持構造に可動的にカップリングされている、請求項１に記載のモジュール壁。
【請求項１７】
前記モジュール壁が、その高さに沿う垂直軸、その長さに沿う第一軸、並びに、前記垂直軸及び前記第一軸それぞれに垂直な第二軸、を規定しており、前記モジュール壁が、前記第二軸に対して平行に動くように構成されている、請求項１４に記載のモジュール壁システム。
【請求項１８】
前記モジュール壁が、前記垂直軸及び前記第一軸のうちの少なくとも１つの周りを回転するようにさらに構成されている、請求項１５に記載のモジュール壁システム。
【請求項１９】
前記支持構造が下記を有している、請求項１６に記載のモジュール壁システム：
前記第二軸に平行に配置されており、かつ前記天井にカップリングされている、レール部材；
第一末端部及び第二末端部を有しており、前記第一末端部が前記レール部材に摺動可能に配置されている、Ｉ形状の細長部材；
前記細長部材の前記第二末端部にカップリングされている、第一フランジ部材；並びに
前記第一フランジ部材及び前記モジュール壁の上部末端部にカップリングされている、第二フランジ部材。
【請求項２０】
前記支持構造が、随意に、前記モジュール壁の底部末端部に配置されている床トラックを有している、請求項１６に記載のモジュール壁システム。
【請求項２１】
前記床トラックが、レール又はホイールのうちの１つである、請求項２０に記載のモジュール壁システム。
【請求項２２】
前記一対のウィング部が、開位置において、前記複数の側壁のうち対応する側壁に接触するように構成されている、請求項１６に記載のモジュール壁システム。
【請求項２３】
前記一対のウィング部のそれぞれのウィング部が、それに可動的に付着している二次的なウィング部をさらに有している、請求項２２に記載のモジュール壁システム。
【請求項２４】
請求項１６に記載のモジュール壁システムを有している、モジュール式住居。
【請求項２５】
下記を有している、モジュール式部屋：
複数の側壁；
前記複数の側壁、移動位置にある前記少なくとも１つの乾式壁、及び開位置にある前記一対のウィング部が、前記モジュール式部屋内において少なくとも２つの部屋を形成するように構成されている、少なくとも１つの、請求項１に記載されている乾式壁；
前記複数の側壁に配置されている天井；並びに
前記天井にカップリングされており、前記少なくとも１つの乾式壁が摺動可能にカップリングしている、請求項１６に記載の支持構造。
【請求項２６】
２つの分割された部屋のうちの少なくとも１つが、閉じられた部屋である、請求項２５に記載のモジュール式部屋。
【請求項２７】
少なくとも１つの、請求項２５に記載のモジュール式部屋を有している、モジュール式住居。
【発明の詳細な説明】
【技術分野】
【０００１】
本開示は、モジュール式部屋、より特には、モジュール式部屋のための壁システムに関する。
【背景技術】
【０００２】
典型的な建物、例えば、家、病院、オフィス空間は、事前に規定されている数の部屋によって、建設されているであろう。しかしながら、いくつかの場合には、事前に規定されている数の部屋では、使用者にとって十分ではないことがあり得る。部屋の数を拡張するためには、又は単一の部屋を複数の部屋に変換するためには、慣用的な方法として、１又は複数の構造、例えば部屋の壁を破壊すること、家具及び他の建物の構成要素を調節すること、が挙げられる。そのような方法は、面倒で、時間がかかる可能性があり、かつ、既存の壁又は建物の他の部品が破壊されることに起因する材料の損失をもたらしうる。
【発明の概要】
【０００３】
さらには、部屋構造におけるそのような変更は、恒常的なものであり、かつ、部屋の構成を、動的に、複数の部屋に変更すること、又は単一の部屋に戻すことは、可能でない可能性がある。他の公知の方法としては、部屋を２つの事前規定された空間に仕切るために使用される、可動的な仕切りを提供することが挙げられる。しかしながら、そのような構成は、閉じられた部屋を提供しない可能性がある。したがって、上記で議論した問題に対処する解決策への要求が、存在する。
【０００４】
参考として、米国特許出願公開第２００５／０２５７４３７号明細書は、モジュールの空間を作るための方法及びシステムを伴って、建物建築におけるモジュール式空間に、一般に向けられており、より特には、特注設計されかつ事前準備された構成要素を有しているモジュール式部屋に、一般に向けられている。
【図面の簡単な説明】
【０００５】
【図１】図１は、本開示の実施態様に従った、例示的なモジュール式住居を説明している。
【図２】図２は、本開示の実施態様に係る、モジュール式住居の例示的な部屋のモジュール壁システムの断面図を説明している。
【図３】図３は、本開示の実施態様に係る、モジュール壁システムのモジュール壁の斜視図を説明している。
【図４】図４は、本開示の別の実施態様に係る、モジュール壁システムのモジュール壁の斜視図を説明している。
【図５】図５は、本開示のさらに別の実施態様に係る、モジュール壁システムのモジュール壁の斜視図を説明している。
【図６】図６は、本開示の実施態様に係る、支持構造を示している、モジュール壁システムの斜視図を説明している。
【図７】図７は、本開示の実施態様に係る、移動位置に移動されたモジュール壁を示している、モジュール式部屋の平面図を説明している。
【図８】図８は、本開示の実施態様に係る、移動位置にあるモジュール壁及び開位置にある一対のウィング部を有している、モジュール式部屋の平面図を説明している。
【発明を実施するための形態】
【０００６】
本開示の１つの態様では、可動的な乾式壁が、提供される。可動的な乾式壁が、支持部材、及び、支持部材に対して動作可能なようにカップリングされている一対のウィング部を有している。一対のウィング部が、支持部材に対して動くように、構成されている。
【０００７】
本開示の別の態様では、天井及び複数の側壁を有している部屋のためのモジュール壁システムが、提供される。モジュール壁システムは、部屋の天井にカップリングするように構成されている支持構造を有している。モジュール壁システムが、この支持構造に可動的にカップリングしているモジュール壁も有している。モジュール壁が、支持部材及び支持部材に動作可能なようにカップリングしている一対のウィング部を有している。それぞれのウィング部が、開位置及び閉位置に向かって動くように構成されている。ウィング部は、開位置において、対応する側壁に向かって動くように構成されている。開位置にある一対のウィング部を有しているモジュール壁は、部屋を少なくとも２つの部屋に分割するように構成されている。
【０００８】
本開示のさらに別の態様では、モジュール式部屋が、提供される。モジュール式部屋は、複数の側壁及び少なくとも１つの乾式壁を有している。この少なくとも１つの乾式壁が、その高さに沿う垂直軸、その長さに沿う第一軸、並びに、垂直軸及び第一軸それぞれに対して垂直な第二軸を規定している。この少なくとも１つの乾式壁が、第二軸に平行に、移動位置へと動くように、構成されている。この少なくとも１つの乾式壁が、支持部材及びこの支持部材に動作可能なようにカップリングしている一対のウィング部を有している。ウィング部のそれぞれが、開位置及び閉位置に向かって動くように、構成されている。それぞれのウィング部が、開位置において、複数の側壁のうちの対応する側壁に向かって動くように、構成されている。複数の側壁、移動位置にある少なくとも１つの乾式壁、及び開位置にある一対のウィング部が、モジュール式部屋において、少なくとも２つの部屋を形成するように構成されている。
【０００９】
本開示の別の態様では、複数の側壁を有している部屋のためのモジュール壁が、提供される。モジュール壁が、支持部材及びこの支持部材に動作可能なようにカップリングしている一対のウィング部を有している。それぞれのウィング部が、開位置及び閉位置に動くように、構成されている。一対のウィング部が、複数の側壁のうち対応する側壁に向かって、開位置へと動くように、構成されている。
【００１０】
本開示の他の特徴及び態様が、以下の記載及び添付の図面から明らかとなるであろう。
【００１１】
実施態様は、例示として説明されており、かつ添付の図面に制限されない。
【００１２】
当業者は、図における要素が、単純さ及び明確さのために図解されており、かつ、必ずしも縮尺通りに描かれていないことを、理解する。例えば、本発明の実施態様の理解をさらに良くする手助けのために、図における要素のいくつかの寸法が、他の要素と比較して誇張されている可能性がある。
【００１３】
可能なところではどこでも、同一の参照符号を、図面を通じて使用して、同一の又は類似の部分に言及する。ここで開示されている実施態様は、モジュール性の特徴を部屋に付与するために使用されうる、モジュール式の部屋及び壁システムに、関係している。図１は、本開示の実施態様に従った、例示的なモジュール式住居１００を説明している。説明されている例では、モジュール式住居１００が、４つの部屋１０２、１０４、１０６，１０８を含んでいる。部屋１０８は、以下で、本開示の実施態様に係る、モジュール式部屋１０８として、説明される。しかしながら、モジュール式部屋１０８のコンセプトを、モジュール式住居１００の任意の部屋、又は他の住居、オフィス空間、病院、及び類似のものの部屋において実施することを想定することができる。
【００１４】
図解されている実施態様では、モジュール式部屋１０８が、４つの側壁１１０，１１２，１１４及び１１６を有している。さらには、側壁１１４及び１１６のそれぞれが、開口部を規定している。例では、可動的なドア（図示されていない）が、それぞれの側壁１１４及び１１６において規定されている開口部の少なくとも１つに、配置されていてよい。他の実施態様では、側壁１１０，１１２，１１４及び１１６のいずれもが、開口部を規定していてよい。モジュール式部屋１０８は、４つの側壁１１０，１１２，１１４及び１１６を含むように図解されかつ記載されているが、モジュール式部屋１０８が、任意の数の側壁を含み、そのようにして、それらの間でモジュール式部屋１０８が形成されるようになっていてよいことが、認識されうる。例では、モジュール式部屋１０８が、４超の側壁を有していてよく、かつ、多角形形状を有していてよい。別の例では、モジュール式部屋１０８が、３つの側壁を有していてよく、かつ三角形の形状を有していてよい。
【００１５】
モジュール式部屋１０８が、さらに、側壁１１０，１１２，１１４及び１１６に配置されている天井１１８を有している。図解されている実施態様では、（図２で示されている）天井１１８が、モジュール式住居１００の屋根の下方に配置されている偽天井であってよい。別の実施態様では、天井１１８が、モジュール式住居１００の屋根であってよい。
【００１６】
図１及び図２に言及すると、モジュール式部屋１０８が、本開示の実施態様に係る、モジュール壁システム２００を含んでいる。モジュール壁システム２００が、モジュール式部屋１０８に配置されているモジュール壁２０２を有している。図２の図解されている実施態様では、モジュール壁２０２が、可動的な乾式壁である。乾式壁２０２が、枠２０４を含んでいてよい。例では、枠２０４が、金属枠であってよい。別の例では、枠２０４が、他の適切な材料、例えば、プラスチック、木、及びこれらに類似するものを含んでいてよいが、それらに限定されない。枠２０４が、枠２０４の面の間に付着している（図示されていない）複数の横断梁を有していてよい。乾式壁２０２が、枠２０４のそれぞれの面に付着している石こうパネル２０８も含んでいる。
【００１７】
乾式壁２０２が、少なくとも１つの絶縁性要素２１０も有していてよい。図解されている実施態様では、絶縁性要素２１０が、枠２０４と石こう２０８の間に配置されている。例では、絶縁性要素２１０が、発泡性材料を含んでいてよい。他の実施態様では、絶縁性要素２１０が、用途の特定のタイプに基づいて、乾式壁２０２において他の場所に配置されていてよい。代替的には、乾式壁２０２が、絶縁性要素２１０なしで構成されていてよい。
【００１８】
モジュール壁２０２の１又は複数の要素が補強されていることが、好ましい可能性がある。例では、支持部材２２０並びにウィング部２２８及び２３０が、補強されていてよい。本発明のそのような実施態様は、石こうパネル２０８の揺れ抵抗性を改善するために、好ましい可能性がある。好ましくは、石こうパネル２０８が、ポリマーバインダ及び複数の繊維を含んでいてよい。そのような特徴は、好ましい可能性があり、なぜならば、それは、石こうパネル２０８に補強を提供し得るからである。好ましくは、上述の複数の繊維が、ガラス繊維、合成ポリマー繊維又は天然繊維を、別個に又は組み合わせて、含んでいてよい。
【００１９】
好ましくは、上述のポリマーバインダ及び上述の複数の繊維が、合計で、石こうパネル２０８の１重量％超である。本発明のそのような実施態様は、好ましい可能性がある。なぜならば、それは、モジュール壁２０２の強度を増加させうるからである。好ましくは、ポリマーバインダが、石こうパネル２０８の１重量％超であってよい。好ましくは、繊維が、石こうパネル２０８の１重量％超であってよい。
【００２０】
ポリマーバインダがスターチを含んでいることが、好ましい可能性がある。ポリマーバインダが合成材料を含んでいることも、好ましい可能性がある。より好ましくは、合成ポリマーバインダが、ポリビニルアセテートを含んでいてよい。
【００２１】
好ましくは、石こうパネル２０８が、Ｈａｂｉｔｏ（登録商標）ボードであってよい。
【００２２】
しかしながら、種々の他の実施態様では、モジュール壁２０２の種々の構成要素が、任意の他の材料、例えば、ＭＤＦ，ベニヤ板、ガラス、金属シート、セメント、繊維セメント、及びプラスチックシートでできていてよいが、これらに制限されない。
【００２３】
モジュール壁２０２及びモジュール壁システム２００を、以下で、図３及び図４を参照して、説明する。モジュール壁２０２が、モジュール壁２０２の平面２１２において、長さ「Ｌ１」及び高さ「Ｈ１」を有していてよい。モジュール壁２０２は、高さ「Ｈ１」に沿う垂直軸２１４、及び長さ「Ｌ１」に沿う第一軸２１６を規定する。モジュール壁２０２は、さらに、垂直軸２１４及び第一軸２１６それぞれに対して垂直な第二軸２１８を規定する。図解されている実施態様では、モジュール壁２０２が、側壁１１２の近傍に、かつ第一軸２１６に平行に、配置されている。さらに、モジュール壁２０２は、側壁１１０と１１４の間に配置されてもいる。
【００２４】
モジュール壁２０２が、第一面２２２及び第二面２２４を有している支持部材２２０を有している。図解されている実施態様では、支持部材２２０が、支持部材２２０の第一面２２２に配置されている複数の棚２２６を有していてよい。さらには、支持部材２２０の第一面２２２が、側壁１１２に面していてよい。別の実施態様では、棚２２６が、支持部材２２０の第二面２２４に配置されていてよい。代替的には、支持部材２２０が、さらに、支持部材２２０の第一面２２２と第二面２２４の両方に配置されている棚２２６を有していてよい。
【００２５】
当業者は、棚２２６の設計及び／又は構成が、本質的に単なる例示的なものであり、したがって、本開示の制限とはならないことを、認識するであろう。さらには、支持部材２２０が、他のタイプの棚２２６又は要素を有していてもよく、有していなくてもよい。
【００２６】
モジュール壁２０２が、支持部材２２０に対して摺動可能に付着されている一対のウィング部２２８及び２３０も、有している。図３の図解されている実施態様では、ウィング部２２８及び２３０が、支持部材２２０の第一面２２２に付着している。そのようにして、ウィング部２２８及び２３０が、支持部材２２０の棚２２６のためのドアとして機能してよい。別の実施態様では、ウィング部２２８及び２３０が、支持部材２２０の第二面２２４に付着していてよい。
【００２７】
図３の図解されている実施態様では、モジュール壁２０２が、平面２１２に配置されている支持部材２２０を有している。モジュール壁２０２が、さらに、支持部材２２０に対して動作可能にカップリングされている一対のウィング部２２８及び２３０を、有している。図解されている実施態様では、ウィング部２２８及び２３０が、支持部材２２０に、摺動可能に付着していてよく、それにより、平面２１２に沿って摺動するようになっていてよい。例では、ウィング部２２８及び２３０のそれぞれが、Ｉ形状を有している（図示していない）細長部材を介して、支持部材２２０にカップリングされていてよい。さらには、細長部材の１つの面が、対応するウィング部２２８、２３０に付着していてよく、かつ、細長部材の他の面が、支持部材２２０に配置されているトラックを介して、支持部材２２０に付着していてよい。そのようにして、ウィング部２２８及び２３０が、トラックに沿って、摺動してよい。
【００２８】
別の実施態様では、モジュール壁２０２が、モジュール壁２０２の上部末端部２３４及び底部末端部２３６に隣接して支持部材２２０に付着している（図示されていない）受入部材を、有していてよい。さらには、ウィング部２２８及び２３０のそれぞれが、受入部材それぞれに対応するトラック部材２３８を有していてよい。そのようにして、受入部材が、トラック部材２３８内において摺動することができて、ウィング部２２８及び２３０が第一軸２１６に対して平行に摺動することを、可能にする。
【００２９】
さらに別の実施態様では、支持部材２２０が、図４において図解されているように、支持部材２２０の面それぞれにおいて、凹部を規定していてよい。ウィング部２２８及び２３０が、少なくとも部分的に、対応する凹部に摺動可能に受け入れられるように、構成されていてよい。そのような実施によって、モジュール壁２０２の第一及び第二面２２２及び２２４の両方が、ウィング部２２８及び２３０が開位置又は閉位置のどちらにあっても、アクセス可能なままとなる。そのようにして、棚又は他の特徴が、モジュール壁２０２の面２２２及び／又は２２４のどれにおいても、適切に使用可能となる。
【００３０】
別の実施態様では、ウィング部２２８及び２３０が、支持部材２２０に、回転可能にカップリングされていてよく、そのようにして、支持部材２２０から広がるようになっていてよい。例では、ウィング部２２８及び２３０が、ヒンジによって支持部材２２０にカップリングされていてよい。別の実施態様では、ウィング部２２８及び２３０が、折り畳み式の配置を有していてよい。他の機構を、ウィング部２２８、２３０と支持部材２２０との間におけるカップリングを達成するために使用することを、想定することもできる。
【００３１】
別の実施態様では、図５において図解されているように、ウィング部２２８又は２３０いずれかが、第一面２２２に付着していてよく、かつ、ウィング部２２８又は２３０のうちの他方が、第二面２２４に付着していてよい。しかしながら、別の実施態様では、モジュール壁２０２が、支持部材２２０の第一及び第二面２２２及び２２４のそれぞれに付着し得る、複数の、ウィング部２２８、２３０の対を、有していてもよい。
【００３２】
それぞれのウィング部２２８，２３０が、開位置及び閉位置に向かって動くように、構成されている。さらには、開位置にあるウィング部２２８、２３０を有しているモジュール壁２０２の合計の長さ「Ｌ１」が、モジュール壁２０２がその間に配置されている側壁１１０，１１４の間の距離に、実質的に等しくてよい。そのようにして、ウィング部２２８，２３０が、開位置へと動いている間に、側壁１１０，１１４それぞれの方へと、動くことができる。図解されている実施態様では、ウィング部２２８，２３０が、開位置において、それぞれ、側壁１１０，１１４に接触してよい。
【００３３】
別の実施態様では、モジュール壁２０２が、ウィング部２２８及び２３０のそれぞれにカップリングされている（図示されていない）１又は複数の二次的なウィング部を、有していてよい。二次的なウィング部は、摺動可能に又は回転可能に、対応するウィング部２２８、及び２３０にカップリングされていてよい。それにより、開位置を得るために、それぞれの二次的なウィング部及びウィング部２２８，２３０を、広げる必要があってよい。
【００３４】
図解されている実施態様では、モジュール壁２０２が、第一軸２１６に平行に配置されている。別の実施態様では、モジュール壁２０２が、第一軸２１６と角度をもって、適切に配置されていてよい。例では、モジュール壁２０２が、モジュール式部屋１０８の形状に基づいて、第一軸２１６に対して９０度の角度で配置されていてよい。
【００３５】
別の例では、上記において論じられているように、モジュール壁２０２が、部屋の、様々な他の構成及び形状で、配置されていてよい。そのような場合には、支持部材２２０及び／又はウィング部２２８，２３０のサイズ、形状、及び構成が、用途の要件に適合するように、種々であってよい。したがって、開位置におけるウィング部２２８，２３０が、対応する側壁１１０，１１２，１１４、１１６と、実質的に接触してよい。
【００３６】
さらに別の例では、ウィング部２２８，２３０それぞれが、それらに対して摺動可能にカップリングしている追加的なウィング部を、さらに有していてよい。それにより、追加的なウィング部及びウィング部２２８，２３０の両方の開位置において、追加的なウィング部が、対応する側壁１１０，１１２，１１４，１１６に接触してよい。
【００３７】
さらには、モジュール壁２０２が、第二軸２１８に対して平行に動くように構成されている。実施態様では、モジュール壁２０２が、垂直軸２１４の周りを回転するように、構成されていてもよい。さらに別の実施態様では、モジュール壁２０２が、第一軸２１６の周りを回転するように構成されていてよい。そのようにして、モジュール壁２０２が、天井１１８に対して返されてもよい。
【００３８】
図６に言及して、モジュール壁システム２００が、支持構造３００を有していてもよい。モジュール壁２０２が、支持構造３００に、可動的にカップリングしていてよい。さらには、支持構造３００が、モジュール式部屋１０８の天井１１８にカップルするように、構成されている。
【００３９】
１つの実施態様では、支持構造３００が、第二軸２１８に平行に配置されておりかつ天井１１８にカップリングしているレール部材３０２を、有していてよい。示されているように、レール部材３０２が、突出構造３０４を介して、天井１１８にカップリングされていてよい。突出構造３０４が、天井１１８にカップリングしていてよい。さらには、突出構造３０４が、固定具を介して互いにカップリングされている複数のバーを有していてよい。代替的には、突出構造３０４のバーのうちの少なくともいくつかが、互いに溶接されていてよい。
【００４０】
支持構造３００が、第一末端部３０８及び第二末端部３１０を有している細長部材３０６も有していてよい。示されているように、細長部材３０６が、Ｉ形状を有していてよい。第一末端部３０８が、レール部材３０２に、摺動可能に受け入れられていてよい。支持構造３００が、細長部材３０６の第一末端部３０８にカップリングされている第一フランジ部材３１２を含んでいてもよい。支持構造３００が、第一フランジ部材３１２にカップリングしている第二フランジ部材３１４をさらに含んでいる。第一及び第二フランジ部材３１２及び３１４のそれぞれが、プレート構成を有していてよい。さらには、第二フランジ部材３１４が、モジュール壁２０２の上部端部２３４にカップリングされていてよい。そのような実施によって、モジュール壁２０２が、レール部材３０２に対して平行に動きうる。
【００４１】
第一フランジ部材３１２と第二フランジ部材３１４との間でのカップリングは、任意の適切な方法によって、例えば、固定具、溶接、及びこれらに類似のものによって、達成されてよいが、これらに限定されない。さらには、第一フランジ部材３１２及び第二フランジ部材３１４が、それぞれ、細長部材３０６の第二末端部３１０、及びモジュール壁２０２の上部末端部２３４に、任意の適切な方法、例えば固定具、例えば、縫い通されたネジ又はボルト、スタッド、溶接、及びこれらに類似するものによって、カップリングされていてよいが、これらに限定されない。
【００４２】
他の実施態様では、支持構造３００が、互いに並行に配置されている複数のレール部材３０２を有していてよい。支持構造３００が、複数の細長部材３０６を有していてもよく、これらの細長部材が、対応するレール部材３０２に、摺動可能に受け入れられていてよい。さらには、複数の細長部材３０６が、異なる位置において、モジュール壁２０２の上部末端部２３４にカップリングしていてよい。
【００４３】
別の実施態様では、細長部材３０６が、第一末端部３０８と第二末端部３１０との間に配置されている（図示されていない）回転可能な部材を有していてよい。（図示されていない）回転可能な部材が、第二末端部３１０に隣接して細長部材３０６に回転可能にカップリングされている円形部材であってよい。そのようにして、モジュール壁２０２が、垂直軸２１４の周りを回転することができる。
【００４４】
細長部材３０６がＩ形状を有しているように図解されているが、任意の他の形状の細長部材３０６を使用することを想定することができる。したがって、細長部材３０６の第一末端部３０８が、レール部材３０２に、摺動可能に受け入れられていてよい。さらには、細長部材３０６の第二末端部３１０が、モジュール壁２０２の上部末端部２３４に、直接に又は間接に、カップリングされていてよい。
【００４５】
追加的に又は随意に、支持構造が、モジュール壁２０２の底部末端部２３６に付着している（図示されていない）床トラックを有していてもよい。床トラックが、任意のレール、ホイール、及びこれらに類似のものを有していてよく、これらは、モジュール壁２０２が垂直軸２１４に平行に移動すること及び／又は垂直軸２１４の周りを回転することを、可能にしうる。
【００４６】
当業者は、ここで記載されているような支持構造３００の構成が、本質的に単なる例示であり、したがって、本開示を制限しないことを、理解するであろう。さらには、モジュール壁システム２００が、任意のタイプ及び／又は任意の構成の支持構造３００を有していてよく、これらが、第二軸２１８に沿うモジュール壁２０２の動きを可能にしてよい。さらには、モジュール壁システム２００が、代替的に、モジュール壁２０２が第一軸２１６及び垂直軸２１４のうちの少なくとも１つの周りを回転することを可能にするための、１又は複数の構造を有していてよい。
【００４７】
図１に戻って言及すると、モジュール壁２０２が、側壁１１２に対して配置されており、かつ、さらには、ウィング部２２８及び２３０が、閉位置にある。ここで図７に言及すると、移動位置に移動されているモジュール壁２０２が、図解されている。図８に言及すると、モジュール壁２０２によって２つの部屋２４０及び２４２に分割されているモジュール式部屋２００が、図解されている。移動位置では、モジュール壁２０２が、側壁１１２から距離をもって存在していてよい。距離は、部屋２４０及び２４２のために所望されうるサイズの比に基づいて、選択されてよい。示されているように、モジュール壁２０２が、移動位置に、第二軸２１８と平行に移動してよい。
【００４８】
図８に言及すると、開位置にあるウィング部２２８及び２３０を有しているモジュール壁２０２が、図解されている。ウィング部２２８及び２３０のそれぞれが、開位置に、第一軸２１６に平行に摺動してよい。１つの実施態様では、ウィング部２２８及び２３０が、それに配置されている（図示されていない）ハンドルを有していてよい。したがって、ウィング部２２８及び２３０が、それぞれのハンドルによって、開位置に向かって少なくとも部分的に移動されてよい。さらに、示されているように、開位置において、ウィング部２２８及び２３０が、それぞれ、対応する側壁１１０及び１１４に実質的に接触してよい。そのような構成によって、モジュール式部屋１０８が、２つの部屋２４０及び２４２を有する。図８において見ることができるように、モジュール壁２０２、及び側壁１１０，１１２，１１４によって形成されている部屋２４２が、閉じられた構成を有している。
【００４９】
種々の他の実施態様では、モジュール式部屋１０８が、１超のモジュール壁２０２を有していてよい。したがって、モジュール式部屋１０８が、２超の部屋に分割されてよい。例えば、モジュール式部屋１０８が、側壁１１０又は１１４のどちらかに対して配置されている追加的な壁を有していてよい。図８に言及して、追加的な壁が、第一軸２１６に平行に移動してよい。さらには、追加的なモジュール壁の対応するウィング部２８，２３０が、開位置へと摺動してよく、それにより、部屋２４２が２つの他の部屋へと分割されるようになっていてよい。そのようにして、２つのモジュール壁２０２を有しているモジュール式部屋１０８が、３つの部屋へと分割されうる。
【００５０】
〈産業場の利用可能性〉
本開示の可動性乾式壁２０２及びモジュール壁システム２００の使用及び実施によって、任意の部屋を、少なくとも２つの部屋へと変換することができる。１つの構成では、支持部材２２０の第二面２２４が、側壁１１０，１１２，１１４，１１６のうちの１つに対して配置されていてよく、かつ、ウィング部２２８，２３０が、閉位置に配置されていてよい。さらには、種々の構成要素、例えば、テレビ受像機、装飾的物品、又はこれらに類似のものが、支持部材２２０の第一面２２２に配置されていてよい。そのような構成では、モジュール壁２０２が、モジュール式部屋１０８の他の構成要素の妨害をすることなく、モジュール式部屋１０８の部分を形成していてよい。他の構成では、モジュール壁２０２を、第二軸２１８と平行に、特定の位置にまで移動させて、かつウィング部２２８，２３０を開位置にまで移動させて、２つの部屋を得てよい。さらには、モジュール式部屋１０８にある家具を、家具を移動することなくモジュール２０２の移動を達成しうるように、配置してよい。
【００５１】
さらには、開位置におけるモジュール壁２０２のウィング部２２８，２３０が、モジュール式部屋１０８の対応する側壁１１０，１１４と接触するように、構成されている。このようにして、少なくとも１つの閉じられた部屋が、得られうる。さらには、モジュール式部屋１０８を複数の部屋へと分割することにおける乾式壁２０２の使用は、分割された部屋に、種々の特性、例えば、音響特性、絶縁、美感、及びこれらに類似するものを付与し得る。
【００５２】
一般的な記載又は例示において上述された活動の全てが、要求されるわけではないこと、特定の活動の一部は、必要とされない可能性があること、及び、１又は複数のさらなる活動が、記載されているものに加えて実行されうること、に注意すべきである。さらには、活動が挙げられている順番は、必ずしも、それらが実行される順番ではない。
【００５３】
課題に対する利益、他の利点、及び解決策が、特定の実施態様に関して、上述されている。しかしながら、課題に対する利益、利点、解決策、及び、任意の利益、利点、若しくは解決策を生じさせうる又は比較的顕著にさせうる任意の１又は複数の特徴は、請求項のうちの任意のものの又はすべての、重要な、要求される、又は必須の特徴として、解釈されない。
【００５４】
ここで記載されている実施態様の仕様及び図解は、種々の実施態様の構造の一般的な理解を提供するために、意図されている。仕様及び図解は、ここで記載されている構造又は方法を使用している装置及びシステムの構成要素及び特徴の全ての、完全かつ包括的な記載として機能することは、意図されていない。明確さのためにここで別個の実施態様に関して記載されている特定の特徴は、組み合わせて、単一の実施態様において提供されてもよい。逆に、簡潔さのために単一の実施態様に関して記載されている種々の特徴を、別個に又はサブコンビネーションにおいて、提供してもよい。さらには、範囲で記載されている値への参照は、その範囲内のそれぞれすべての値を含んでいる。他の多くの実施態様が、この明細書を読んだ後でのみ、当業者に明らかであろう。他の実施態様が、使用される可能性があり、かつ本開示から派生し得るので、構造の置換、論理的な置換、又は他の変更を、本開示の範囲から逸脱することなく、行うことができる。したがって、本開示は、制限的なものというよりは、例示的なものとみなされる。
【００５５】
図面との組み合わせにおける記載は、ここで開示されている教示の理解を助けるために提供され、教示の記載を助けるために提供され、かつ、教示の範囲又は適用への制限として解釈されるべきではない。しかしながら、他の教示を、本願において使用することは、確実に可能である。
【００５６】
ここで使用されているように、用語「含む」、「含んでいる」、「有する」、「有している」、「持つ」、「持っている」又はこれらの任意の他の変形は、非制限的な包含を扱うことが意図されている。例えば、一連の特徴を有している方法、物品、又は装置は、必ずしもこれらの特徴のみに制限されず、明示的に挙げられていない他の特徴、又はこのような方法、物品、又は装置に固有の他の特徴が含まれうる。さらには、逆のことが明示的に示されない限りは、「又は」は、両立的な「又は」に言及しており、排他的な「又は」には言及していない。例えば、条件Ａ又はＢは、以下のいずれによっても満たされる：Ａが真であり（又は存在していて）、かつＢが偽である（又は存在していない）、Ａが偽であり（又は存在しておらず）、かつＢが真である（又は存在している）、並びに、Ａ及びＢが両方とも真である（又は存在している）。
【００５７】
また、「ａ」又は「ａｎ」が、ここで記載される要素及び構成要素を記載するために使用される。これは、単に便宜上の観点から行われ、かつ、本発明の範囲の一般的な意味を与えるために行われる。この記載は、別段のことを意味していることが明らかでない限りは、１又は少なくとも１つを含んでおり、かつ、単数形は、複数形も含んでおり、逆もまた真であると、読まれるべきである。例えば、本記載において単数の物品が記載されている場合には、１超の物品を、単一の物品の代わりに使用してよい。同様に、本記載において１超の物品が記載されている場合には、単一の物品を、その１超の物品に置き換えてよい。
【００５８】
別段の定義がされない限りは、ここで使用されるすべての技術的及び化学的用語は、本発明が属する分野における当業者のいずれかによって一般に理解されるのと同じ意味を有している。材料、方法、及び例は、説明するためのものにすぎず、制限的であることは意図されていない。特定の材料及び処理操作に関する特定の細部が記載されていない範囲においては、そのような細部は、慣用的なアプローチを含んでいてよく、慣用的なアプローチは、製造技術の範囲内における書籍及び他の情報源を参照して、見つけることができる。
【００５９】
本開示の側面が、上述の実施態様を参照して特に示されかつ記載されている一方で、開示されているものの思想及び範囲から逸脱することなく、開示されている機器、システム、及び方法の変更によって、種々の追加的な実施態様を考えることができるということを、当業者は理解するであろう。そのような実施態様は、請求項及びこれに等価である任意のものに基づいて決定されるような本開示の範囲に含まれると理解されるべきである。
【符号の説明】
【００６０】
１００    モジュール式住居
１０２    部屋
１０４    部屋
１０６    部屋
１０８    部屋／モジュール式部屋
１１０    側壁
１１２    側壁
１１４    側壁
１１６    側壁
１１８    天井
２００    モジュール壁システム
２０２    モジュール壁
２０４    枠
２０８    石こうパネル
２１０    絶縁性要素
２１２    平面
２１４    垂直軸
２１６    第一軸
２１８    第二軸
２２０    支持部材
２２２    第一面
２２４    第二面
２２６    棚
２２８    ウィング部
２３０    ウィング部
２３４    モジュール壁の上部末端部
２３６    モジュール壁の底部末端部
２４０    部屋
２４２    部屋
３００    支持構造
３０２    レール部材
３０４    突出構造
３０６    細長部材
３０８    第一末端部
３１０    第二末端部
３１２    第一フランジ部材
３１４    第二フランジ部材
Ｌ１    長さ
Ｈ１    高さ
【図１】
2019520497.tif 000003
【図２】
2019520497.tif 000004
【図３】
2019520497.tif 000005
【図４】
2019520497.tif 000006
【図５】
2019520497.tif 000007
【図６】
2019520497.tif 000008
【図７】
2019520497.tif 000009
【図８】
2019520497.tif 000010
【手続補正書】
【提出日】平成31年4月1日(2019.4.1)
【手続補正１】
【補正対象書類名】明細書
【補正対象項目名】００２９
【補正方法】変更
【補正の内容】
【００２９】
さらに別の実施態様では、支持部材２２０が、図５において図解されているように、支持部材２２０の面それぞれにおいて、凹部を規定していてよい。ウィング部２２８及び２３０が、少なくとも部分的に、対応する凹部に摺動可能に受け入れられるように、構成されていてよい。そのような実施によって、モジュール壁２０２の第一及び第二面２２２及び２２４の両方が、ウィング部２２８及び２３０が開位置又は閉位置のどちらにあっても、アクセス可能なままとなる。そのようにして、棚又は他の特徴が、モジュール壁２０２の面２２２及び／又は２２４のどれにおいても、適切に使用可能となる。
【手続補正２】
【補正対象書類名】明細書
【補正対象項目名】００３１
【補正方法】変更
【補正の内容】
【００３１】
別の実施態様では、図４において図解されているように、ウィング部２２８又は２３０のいずれかが、第一面２２２に付着していてよく、かつ、ウィング部２２８又は２３０のうちの他方が、第二面２２４に付着していてよい。しかしながら、別の実施態様では、モジュール壁２０２が、支持部材２２０の第一及び第二面２２２及び２２４のそれぞれに付着し得る、複数の、ウィング部２２８、２３０の対を、有していてもよい。
【手続補正３】
【補正対象書類名】明細書
【補正対象項目名】００５９
【補正方法】変更
【補正の内容】
【００５９】
本開示の側面が、上述の実施態様を参照して特に示されかつ記載されている一方で、開示されているものの思想及び範囲から逸脱することなく、開示されている機器、システム、及び方法の変更によって、種々の追加的な実施態様を考えることができるということを、当業者は理解するであろう。そのような実施態様は、請求項及びこれに等価である任意のものに基づいて決定されるような本開示の範囲に含まれると理解されるべきである。
本発明の態様は、以下のとおりである：
〈態様１〉
複数の側壁を有している部屋のための、下記を有しているモジュール壁：
支持部材；及び
前記支持部材に動作可能なようにカップリングされている一対のウィング部、
ここで、それぞれの前記ウィング部が、開位置及び閉位置へと動くように構成されており、前記一対のウィング部が、前記開位置において、前記複数の側壁のうち対応する側壁に向かって移動するように、構成されている。
〈態様２〉
前記ウィング部それぞれが、前記支持部材の平面に沿って摺動するように構成されている、請求項１に記載のモジュール壁。
〈態様３〉
前記ウィング部それぞれが、ヒンジによって、前記支持部材に対して回転可能にカップリングされている、請求項１に記載のモジュール壁。
〈態様４〉
前記ウィング部それぞれが、折り畳み式の配置を有している、請求項１に記載のモジュール壁。
〈態様５〉
前記ウィング部それぞれが、可動的にそれに付着されている二次的なウィング部をさらに有している、請求項１に記載のモジュール壁。
〈態様６〉
前記支持部材が、複数の棚を有している、請求項１に記載のモジュール壁。
〈態様７〉
前記支持部材及び前記一対のウィング部それぞれが、下記を有している、請求項１に記載のモジュール壁：
枠、及び
前記枠に付着している、１又は複数の石こうパネル。
〈態様８〉
前記支持部材及び前記一対のウィング部のそれぞれが、前記枠と１又は複数の前記石こうパネルとの間に配置されている絶縁性要素を含んでいる、請求項７に記載のモジュール壁。
〈態様９〉
前記枠が、金属、木、及びプラスチックのうちの少なくとも１つからできている、請求項７に記載のモジュール壁。
〈態様１０〉
前記支持部材及び前記一対のウィング部が、補強されている、請求項７に記載のモジュール壁。
〈態様１１〉
前記石こうパネルが、ポリマーバインダ及び複数の繊維を有している、請求項７に記載のモジュール壁。
〈態様１２〉
前記ポリマーバインダが、スターチ及び合成材料のうちの１つを含んでいる、請求項１１に記載のモジュール壁。
〈態様１３〉
前記ポリマーバインダ及び前記複数の繊維が、合計で、可動的な乾式壁の１重量％超である、請求項１１に記載のモジュール壁。
〈態様１４〉
前記複数の繊維及び前記ポリマーバインダのうちの１つが、可動的な乾式壁の１重量％超である、請求項１１に記載のモジュール壁。
〈態様１５〉
ＭＤＦ，ベニヤ板、ガラス、金属、セメント、繊維セメント、及びプラスチックシートのうちの少なくとも１つを含んでいる、請求項１に記載のモジュール壁。
〈態様１６〉
前記複数の側壁及び天井を有している部屋のための、下記を有しているモジュール壁システム：
前記部屋の前記天井にカップリングされるように構成されている、支持構造、及び
前記支持構造に可動的にカップリングされている、請求項１に記載のモジュール壁。
〈態様１７〉
前記モジュール壁が、その高さに沿う垂直軸、その長さに沿う第一軸、並びに、前記垂直軸及び前記第一軸それぞれに垂直な第二軸、を規定しており、前記モジュール壁が、前記第二軸に対して平行に動くように構成されている、請求項１４に記載のモジュール壁システム。
〈態様１８〉
前記モジュール壁が、前記垂直軸及び前記第一軸のうちの少なくとも１つの周りを回転するようにさらに構成されている、請求項１５に記載のモジュール壁システム。
〈態様１９〉
前記支持構造が下記を有している、請求項１６に記載のモジュール壁システム：
前記第二軸に平行に配置されており、かつ前記天井にカップリングされている、レール部材；
第一末端部及び第二末端部を有しており、前記第一末端部が前記レール部材に摺動可能に配置されている、Ｉ形状の細長部材；
前記細長部材の前記第二末端部にカップリングされている、第一フランジ部材；並びに
前記第一フランジ部材及び前記モジュール壁の上部末端部にカップリングされている、第二フランジ部材。
〈態様２０〉
前記支持構造が、随意に、前記モジュール壁の底部末端部に配置されている床トラックを有している、請求項１６に記載のモジュール壁システム。
〈態様２１〉
前記床トラックが、レール又はホイールのうちの１つである、請求項２０に記載のモジュール壁システム。
〈態様２２〉
前記一対のウィング部が、開位置において、前記複数の側壁のうち対応する側壁に接触するように構成されている、請求項１６に記載のモジュール壁システム。
〈態様２３〉
前記一対のウィング部のそれぞれのウィング部が、それに可動的に付着している二次的なウィング部をさらに有している、請求項２２に記載のモジュール壁システム。
〈態様２４〉
請求項１６に記載のモジュール壁システムを有している、モジュール式住居。
〈態様２５〉
下記を有している、モジュール式部屋：
複数の側壁；
前記複数の側壁、移動位置にある前記少なくとも１つの乾式壁、及び開位置にある前記一対のウィング部が、前記モジュール式部屋内において少なくとも２つの部屋を形成するように構成されている、少なくとも１つの、請求項１に記載されている乾式壁；
前記複数の側壁に配置されている天井；並びに
前記天井にカップリングされており、前記少なくとも１つの乾式壁が摺動可能にカップリングしている、請求項１６に記載の支持構造。
〈態様２６〉
２つの分割された部屋のうちの少なくとも１つが、閉じられた部屋である、請求項２５に記載のモジュール式部屋。
〈態様２７〉
少なくとも１つの、請求項２５に記載のモジュール式部屋を有している、モジュール式住居。
【手続補正４】
【補正対象書類名】特許請求の範囲
【補正対象項目名】全文
【補正方法】変更
【補正の内容】
【特許請求の範囲】
【請求項１】
複数の側壁を有している部屋のための、下記を有しているモジュール壁：
支持部材；及び
前記支持部材に動作可能なようにカップリングされている一対のウィング部、
ここで、それぞれの前記ウィング部が、開位置及び閉位置へと動くように構成されており、前記一対のウィング部が、前記開位置において、前記複数の側壁のうち対応する側壁に向かって移動するように、構成されている。
【請求項２】
前記ウィング部それぞれが、前記支持部材の平面に沿って摺動するように構成されている、請求項１に記載のモジュール壁。
【請求項３】
前記ウィング部それぞれが、ヒンジによって、前記支持部材に対して回転可能にカップリングされている、請求項１に記載のモジュール壁。
【請求項４】
前記ウィング部それぞれが、折り畳み式の配置を有している、請求項１〜３のいずれか一項に記載のモジュール壁。
【請求項５】
前記ウィング部それぞれが、可動的にそれに付着されている二次的なウィング部をさらに有している、請求項１〜４のいずれか一項に記載のモジュール壁。
【請求項６】
前記支持部材が、複数の棚を有している、請求項１〜５のいずれか一項に記載のモジュール壁。
【請求項７】
前記支持部材及び前記一対のウィング部それぞれが、下記を有している、請求項１〜６のいずれか一項に記載のモジュール壁：
枠、及び
前記枠に付着している、１又は複数の石こうパネル。
【請求項８】
前記支持部材及び前記一対のウィング部のそれぞれが、前記枠と１又は複数の前記石こうパネルとの間に配置されている絶縁性要素を含んでいる、請求項７に記載のモジュール壁。
【請求項９】
前記枠が、金属、木、及びプラスチックのうちの少なくとも１つからできている、請求項７又は８に記載のモジュール壁。
【請求項１０】
前記支持部材及び前記一対のウィング部が、補強されている、請求項７〜９のいずれか一項に記載のモジュール壁。
【請求項１１】
前記石こうパネルが、ポリマーバインダ及び複数の繊維を有している、請求項７〜１０のいずれか一項に記載のモジュール壁。
【請求項１２】
前記ポリマーバインダが、スターチ及び合成材料のうちの１つを含んでいる、請求項１１に記載のモジュール壁。
【請求項１３】
前記ポリマーバインダ及び前記複数の繊維が、合計で、石こうパネルの１重量％超である、請求項１１又は１２に記載のモジュール壁。
【請求項１４】
前記複数の繊維及び前記ポリマーバインダのうちの１つが、石こうパネルの１重量％超である、請求項１１又は１２に記載のモジュール壁。
【請求項１５】
ＭＤＦ，ベニヤ板、ガラス、金属、セメント、繊維セメント、及びプラスチックシートのうちの少なくとも１つを含んでいる、請求項１〜１４のいずれか一項に記載のモジュール壁。
【請求項１６】
前記複数の側壁及び天井を有している部屋のための、下記を有しているモジュール壁システム：
前記部屋の前記天井にカップリングされるように構成されている、支持構造、及び
前記支持構造に可動的にカップリングされている、請求項１〜１５のいずれか一項に記載のモジュール壁。
【請求項１７】
前記モジュール壁が、その高さに沿う垂直軸、その長さに沿う第一軸、並びに、前記垂直軸及び前記第一軸それぞれに垂直な第二軸、を規定しており、前記モジュール壁が、前記第二軸に対して平行に動くように構成されている、請求項１６に記載のモジュール壁システム。
【請求項１８】
前記モジュール壁が、前記垂直軸及び前記第一軸のうちの少なくとも１つの周りを回転するようにさらに構成されている、請求項１７に記載のモジュール壁システム。
【請求項１９】
前記支持構造が下記を有している、請求項１６〜１８のいずれか一項に記載のモジュール壁システム：
前記第二軸に平行に配置されており、かつ前記天井にカップリングされている、レール部材；
第一末端部及び第二末端部を有しており、前記第一末端部が前記レール部材に摺動可能に配置されている、Ｉ形状の細長部材；
前記細長部材の前記第二末端部にカップリングされている、第一フランジ部材；並びに
前記第一フランジ部材及び前記モジュール壁の上部末端部にカップリングされている、第二フランジ部材。
【請求項２０】
前記支持構造が、随意に、前記モジュール壁の底部末端部に配置されている床トラックを有している、請求項１６〜１９のいずれか一項に記載のモジュール壁システム。
【請求項２１】
前記床トラックが、レール又はホイールのうちの１つである、請求項２０に記載のモジュール壁システム。
【請求項２２】
前記一対のウィング部が、開位置において、前記複数の側壁のうち対応する側壁に接触するように構成されている、請求項１６〜２１のいずれか一項に記載のモジュール壁システム。
【請求項２３】
前記一対のウィング部のそれぞれのウィング部が、それに可動的に付着している二次的なウィング部をさらに有している、請求項２２に記載のモジュール壁システム。
【請求項２４】
請求項１６〜２３のいずれか一項に記載のモジュール壁システムを有している、モジュール式住居。
【請求項２５】
下記を有している、モジュール式部屋：
複数の側壁；
少なくとも１つの、請求項１〜１５のいずれか一項に記載されているモジュール壁、ここで、前記複数の側壁、移動位置にある前記少なくとも１つのモジュール壁、及び開位置にある前記一対のウィング部が、前記モジュール式部屋内において少なくとも２つの部屋を形成するように構成されている；
前記複数の側壁に配置されている天井；並びに
前記天井にカップリングされており、前記少なくとも１つの乾式壁が摺動可能にカップリングしている、請求項１６に記載の支持構造。
【請求項２６】
２つの分割された部屋のうちの少なくとも１つが、閉じられた部屋である、請求項２５に記載のモジュール式部屋。
【請求項２７】
少なくとも１つの、請求項２５又は２６に記載のモジュール式部屋を有している、モジュール式住居。
【国際調査報告】
2019520497.tif 000011